(57)【要約】【課題】梱包時に損傷せずに梱包し易い包装箱を提供する。【解決手段】天板２に、第１側板３側に向かって折り曲げた折曲部分に折曲げ線２ａに沿うスリット９を有する第１挿入片８を連続して形成する。第１側板３上縁に、スリット９の幅に応じた幅に突出すると共に、第１側板３上縁から、突出した部分の両縁を延長して下に向かって該第１側板３を途中まで切断することにより第２挿入片１０を形成する。スリット９の中央部に、第１挿入片８の折曲げ線２ａから天板２内側に向かって抜き差し用開口２０を連続して切り取る。その反対のスリット９の中央部に、第１挿入片８の折曲げ線２ａから第１挿入片８先端側に向かって干渉防止用開口２１を連続して切り取る。第２挿入片１０の下縁を第１側板３から外側に折り曲げると共に、先端部１０ｃを第１側板３の上縁に沿って内側に折り曲げてスリット９に挿入し、天板２を閉じる。【選択図】図３
2009096505.tif 000002
【特許請求の範囲】
【請求項１】
天板と、
上記天板に隣接する１つの側板と、
上記天板に連続して形成され、上記１つの側板側に向かって折り曲げられ、該折曲部分に折曲げ線に沿うスリットを有する第１挿入片と、
上記１つの側板上縁に連続し、上記スリットの幅に応じた幅に突出すると共に、該１つの側板上縁から、突出した部分の両縁を延長して下に向かって該１つの側板が途中まで切断されることにより形成された第２挿入片とを備え、
上記第２挿入片の下縁が上記１つの側板から外側に折り曲げられると共に該１つの側板の上縁に沿って内側に折り曲げられて該折曲げ線よりも先端の部分が上記スリットに挿入されることにより、上記天板を閉じるように構成された包装箱であって、
上記スリットの中央部に連続し、上記第１挿入片の折曲げ線から上記天板内側に向かって切り取られた抜き差し用開口と、
上記スリットの中央部に連続し、上記第１挿入片の折曲げ線から該第１挿入片先端側に向かって切り取られた干渉防止用開口とを備えている
ことを特徴とする包装箱。
【請求項２】
請求項１に記載の包装箱において、
上記干渉防止用開口は、上記スリット側を下底とし、上記第１挿入片先端側に向かって先細となる等脚台形に切り取られている
ことを特徴とする包装箱。
【請求項３】
請求項２に記載の包装箱において、
上記抜き差し用開口は、上記スリット側を直径とする半円形に切り取られ、
上記干渉防止用開口の下底の長さは、上記抜き差し用開口の直径よりも長い
ことを特徴とする包装箱。
【請求項４】
請求項１乃至３のいずれか１つに記載の包装箱において、
一枚の段ボール板より成形される
ことを特徴とする包装箱。
【発明の詳細な説明】
【技術分野】
【０００１】
本発明は、電気機器、食料品等の製品を梱包する包装箱に関するものである。
【背景技術】
【０００２】
従来より、電気機器、食料品等の製品は、工場等で梱包された後、輸送されて販売店やユーザー等の元に届けられるが、その間落下や振動によって故障や破損の可能性がある。そのため、ある程度の強度と衝撃吸収性が求められるものの、ユーザー等の手元に渡った後は不要となることが多い。このため、コストがかからないように設計することが重要になってくる。
【０００３】
例えば、特許文献１の２枚の天面外フラップと２枚の天面内フラップを有する紙製の通い箱では、２枚の天面外フラップは、ほぼ天面全体を覆う寸法を有し、第１の天面外フラップは、先端に差し込みと繋止舌片用スリット、後端に差し込み用スリットを有し、第２の天面外フラップは、先端に差し込み、後端に差し込み用スリットと繋止舌片を有し、第１の天面フラップを外側に重ねたとき、第１の天面フラップ先端の差し込みが第２の天面フラップ後端の差し込みスリットに差し込まれると共に、第２のフラップ後端の繋止舌片が第１の天面フラップ先端の繋止舌片用スリットに差し込まれ、第１の天面フラップを内側に重ねたとき、第２の天面フラップ先端の差し込みが第１の天面フラップ後端の差し込み用スリットに差し込まれるようになっている。
【０００４】
また、特許文献２の梱包箱は、スリットが形成された、１つの側面の内側に収容される第１の係合片と、１つの側面上縁からスリットの幅に応じた幅に突出すると共に、１つの側面が途中まで切断されることにより形成され、先端の部分がスリットに挿入されることにより上面を閉じる第２の係合片とを有し、上面が、指掛け凹部を有すると共に、指掛け凹部の両側に、第１の係合片の折曲げ線を越えてスリット上部に突出した１対の第１の突出片を有している。この梱包箱では、１つの側面上縁の、第２の係合片の両側に、上縁から上に突出した１対の第２の突出片を有し、梱包箱に損傷を与えることなく、第２の係合片を第１の係合片のスリット入口に容易に差し込むことができるようになっている。
【特許文献１】特開２００１−３１５７５３号公報
【特許文献２】特開２００３−２６７３５４号公報
【発明の開示】
【発明が解決しようとする課題】
【０００５】
しかしながら、特許文献１の差し込みを挿入する繋止スリットの幅は紙の肉厚程度であり、差し込む際にスリットの周縁に引っかかったり、ささくれが起こったりして挿入が困難となる。
【０００６】
特許文献２は、第１及び第２の突出片を設けることで、第１の係合片をスリット入口に容易に差し込んで、ささくれ等の発生を防止することができるようになっているものの、第１及び第２の突出片が周辺よりも突出しているため、製品の梱包前にこの突出片が不測の衝撃により変形してしまう恐れがある。
【０００７】
本発明は、かかる点に鑑みてなされたものであり、その目的とするところは、梱包時に損傷せずに梱包し易い包装箱を提供することにある。
【課題を解決するための手段】
【０００８】
上記の目的を達成するために、この発明では、スリットの形状に工夫を加えることにより、スリット周縁やスリットに挿入する部分が損傷しないようにした。
【０００９】
具体的には、第１の発明では、天板と、
上記天板に隣接する１つの側板と、
上記天板に連続して形成され、上記１つの側板側に向かって折り曲げられ、該折曲部分に折曲げ線に沿うスリットを有する第１挿入片と、
上記１つの側板上縁に連続し、上記スリットの幅に応じた幅に突出すると共に、該１つの側板上縁から、突出した部分の両縁を延長して下に向かって該１つの側板が途中まで切断されることにより形成された第２挿入片とを備え、
上記第２挿入片の下縁が上記１つの側板から外側に折り曲げられると共に該１つの側板の上縁に沿って内側に折り曲げられて該折曲げ線よりも先端の部分が上記スリットに挿入されることにより、上記天板を閉じるように構成された包装箱を対象とする。
【００１０】
そして、上記包装箱は、
上記スリットの中央部に連続し、上記第１挿入片の折曲げ線から上記天板内側に向かって切り取られた抜き差し用開口と、
上記スリットの中央部に連続し、上記第１挿入片の折曲げ線から該第１挿入片先端側に向かって切り取られた干渉防止用開口とを備えている。
【００１１】
上記の構成によると、第２挿入片を第１挿入片のスリットに挿入する際には、第２挿入片の先端を指で押し下げながら、その裏面側を干渉防止用開口周縁に当接させ、第２挿入片の先端がスリットに挿入される。スリットに挿入された第２挿入片の先端は、天板裏面側の抜き差し用開口の周縁を摺動しながらスリットの奥に挿入される。このとき、抜き差し用開口により、指と天板との接触が回避される。このように第２挿入片がスリットに容易に挿入され、天板が確実に閉じられる。
【００１２】
第２の発明では、第１の発明において、
上記干渉防止用開口は、上記スリット側を下底とし、上記第１挿入片先端側に向かって先細となる等脚台形に切り取られている。
【００１３】
上記の構成によると、第２挿入片の先端を指で押し下げながら、その裏面側を干渉防止用開口周縁に当接させ、第２挿入片を第１挿入片のスリットに挿入する際に、第２挿入片の裏面が等脚台形の上底側から下底側へスムーズに誘導される。このため、第２挿入片がスリットに容易に挿入され、天板が確実に閉じられる。
【００１４】
第３の発明では、第２の発明において、
上記抜き差し用開口は、半円形に切り取られ、
上記干渉防止用開口の下底の長さは、上記抜き差し用開口の直径よりも長いものとする。
【００１５】
すなわち、抜き差し用開口は、通常、１本の指を回避可能な大きさとされ、第２挿入片をその指で押し下げたときに、指で押さえた範囲が下方に撓むが、上記の構成によると、干渉防止用開口の下底の長さは、抜き差し用開口の直径よりも長く、スリットに先端が挿入された第２挿入片は、天板の裏面に当接しながら下方に撓むが、その撓んだ第２挿入片の裏面が干渉防止用開口の周縁に強く接触することはないので、第２挿入片がささくれて損傷するのが防止される。このため、第２挿入片がスリットに容易に挿入され、天板が確実に閉じられる。
【００１６】
第４の発明では、第１乃至第３のいずれか１つの発明において、
包装箱は、一枚の段ボール板より成形されるものとする。
【００１７】
上記の構成によると、段ボール板は、軽量かつ安価でリサイクルも容易であり、適度な強度と衝撃吸収性を有するので、本発明の包装箱の材料として適している。
【発明の効果】
【００１８】
以上説明したように、本発明によれば、第２挿入片を第１挿入片のスリットに挿入する際に干渉防止用開口により、第２挿入片をスムーズにスリット内に誘導するようにしたことにより、梱包時に損傷せずに梱包し易い包装箱が得られる。
【発明を実施するための最良の形態】
【００１９】
以下、本発明の実施形態を図面に基づいて説明する。
【００２０】
図１〜図４は本発明の実施形態の包装箱１を示し、この包装箱１は、直方体状のもので、天板２と、天板２に隣接する第１〜第４側板３〜６と、底板７とを備えている。図５にこの包装箱１の展開図を示す。底板７は、第１〜第４側板３〜６からそれぞれ連続する第１〜第４底板部材７ａ〜７ｄが重なり合うことで構成される。第３側板５の側縁には、糊付部５ａが連続して形成されている。第２側板４及び第４側板６の上縁には、それぞれ上側フラップ部４ａ，６ａが連続して形成されている。
【００２１】
天板２には、正面側の第１側板３側に向かって折り曲げられる第１挿入片８が連続して形成されている。この折り曲げられた部分には、折曲げ線２ａに沿う細長いスリット９が形成されている。
【００２２】
第１側板３の上縁中央には、上記スリット９の幅に応じた幅に突出する第２挿入片１０が連続して形成されている。図５にハッチングで示すように、この第２挿入片１０は、第１側板３上縁から、突出した部分の両縁を延長して下に向かって第１側板３が途中まで切断されることにより形成されている。
【００２３】
第１側板３上縁には、連結部１１を介して中間仕切板１２が設けられている。第１側板３上縁と連結部１１との折曲部分には、第１挿入片８が挿入される第１挿入片用開口１１ａが第１挿入片８の幅に対応させて開口されている。中間仕切板１２の先端には、第１側板３に当接し該中間仕切板１２を安定させるフリップ部１２ａが形成されている。
【００２４】
第２挿入片１０の下縁は、第１側板３から第１折曲げ線１０ａに沿って外側に折り曲げられると共に、第１側板３の上縁に沿う第２折曲げ線１０ｂで内側に折り曲げられ、この折曲げ線１０ａよりも先端の先端部１０ｃが、第１挿入片用開口１１ａに挿入された第１挿入片８のスリット９に挿入されることにより、天板２を閉じるように構成されている。
【００２５】
上記スリット９の中央部には、第１挿入片８の折曲げ線２ａから天板２内側に向かって切り取られた抜き差し用開口２０が連続して形成されている。抜き差し用開口２０は、半円形に切り取られている。
【００２６】
図６に拡大して示すように、上記スリット９の中央部には、第１挿入片８の折曲げ線２ａから、第１挿入片８先端側に向かって切り取られた干渉防止用開口２１が連続して形成されている。干渉防止用開口２１は、スリット９側を下底とし、第１挿入片８先端側に上底を有し、該先端側に向かって先細となる等脚台形に切り取られている。干渉防止用開口２１の下底の長さＬは、抜き差し用開口２０の直径Ｄよりも長いものとする（Ｌ＞Ｄ）。
【００２７】
−包装箱１の梱包手順−
次に、本実施形態にかかる包装箱１の梱包手順について説明する。
【００２８】
図５に示すように、包装箱１は、一枚の段ボール板３０を切断すると共に、折れ線やスリット等を形成することにより、成形される。段ボール板３０は、軽量かつ安価でリサイクルも容易であり、適度な強度と衝撃吸収性を有するので、包装箱１の材料として適している。
【００２９】
まず、底板７を構成する第１〜第４底板部材７ａ〜７ｄのいずれか及び糊付部５ａに適宜糊付けをし、これらを折り込みながら、図２に示す状態に包装箱１を組み立てる。
【００３０】
次いで、製品３１が梱包された梱包用トレイ３２を包装箱１の底板７に当たるまで挿入する。
【００３１】
次いで、図３及び図４に示すように、連結部１１の上縁をＵ字状に山折りして、中間仕切板１２の裏面を梱包用トレイ３２の上面に当接させると共に、フリップ部１２ａを谷折りして第３側板５に当接させる。この状態で、取扱説明書３３等を梱包する。
【００３２】
次いで、第２挿入片１０の下縁を第１折曲げ線１０ａで第１側板３から外側に折り曲げると共に、先端部１１ｃを第１側板３の上縁に沿って第２折曲げ線１０ｂで内側に折り曲げた後、スリット９に先端部１０ｃを挿入し、天板２を閉じる。この先端部１０ｃを第１挿入片８のスリット９に挿入する際には、先端部１０ｃを指で押し下げながら、その裏面側を干渉防止用開口２１周縁に当接させ、先端部１０ｃがスリット９に挿入される。スリット９に挿入された先端部１０ｃは、天板２裏面側の抜き差し用開口２０の周縁を摺動しながらスリット９の奥まで挿入される。このとき、第２挿入片１０の裏面が等脚台形の上底側から下底側へスムーズに誘導される。そして、図１に示すように、抜き差し用開口２０により、指と天板２との接触が回避される。このように第２挿入片１０がスリット９に容易に挿入され、天板２が確実に閉じられる。
【００３３】
また、抜き差し用開口２０は、通常、１本の指を回避可能な大きさとされ、第２挿入片１０をその指で押し下げたときに、指で押さえた範囲が下方に撓むが、本実施形態によると、干渉防止用開口２１の下底の長さＬは、抜き差し用開口２０の直径Ｄよりも長く、スリット９に先端が挿入された第２挿入片１０は、天板２の裏面に当接しながら下方に撓むが、その撓んだ第２挿入片１０の裏面が干渉防止用開口２１の周縁に強く接触することはないので、第２挿入片１０がささくれて損傷することはない。このため、第２挿入片１０がスリット９に容易に挿入され、天板２が確実に閉じられる。
【００３４】
−実施形態の効果−
したがって、本実施形態にかかる包装箱１によると、第２挿入片１０を第１挿入片８のスリット９に挿入する際に干渉防止用開口２１により、第２挿入片１０をスムーズにスリット９内に誘導するようにしたことにより、梱包時に損傷せずに梱包し易い包装箱１が得られる。
【００３５】
（その他の実施形態）
本発明は、上記実施形態について、以下のような構成としてもよい。
【００３６】
すなわち、上記実施形態では、第１側板３の上縁に連結部１１を介して中間仕切板１２を設けたが、これら連結部１１及び中間仕切板１２は、なくてもよい。
【００３７】
なお、以上の実施形態は、本質的に好ましい例示であって、本発明、その適用物や用途の範囲を制限することを意図するものではない。
【図面の簡単な説明】
【００３８】
【図１】本発明の実施形態にかかる包装箱の天板を閉じた状態の斜視図である。
【図２】包装箱に梱包用トレイを梱包する様子を示す斜視図である。
【図３】包装箱に取扱説明書を梱包する様子を示す斜視図である。
【図４】中間仕切板を閉じた包装箱の側方断面図である。
【図５】包装箱の展開図である。
【図６】スリット、抜き差し用開口及び干渉防止用開口の拡大斜視図である。
【符号の説明】
【００３９】
１      包装箱
２      天板
２ａ    折曲げ線
３      第１側板（１つの側板）
８      第１挿入片
９      スリット
１０      第２挿入片
１０ｂ    第２折曲げ線
１０ｃ    先端部
２０      抜き差し用開口
２１      干渉防止用開口
【図１】
2009096505.tif 000003
【図２】
2009096505.tif 000004
【図３】
2009096505.tif 000005
【図４】
2009096505.tif 000006
【図５】
2009096505.tif 000007
【図６】
2009096505.tif 000008